(57)【要約】      （修正有）【課題】シャッタ装置内における被写体の有害な反射光が被写体の撮影部に入射するのを防止し、被写体像を良好に撮影するシャッタ装置及び撮影装置を提供する。【解決手段】シャッタ装置（１０）は、第１開口部を規定する第１規定部（２１）を有するシャッタ基板（２０）と、前記第１開口部よりも開口面積の小さい第２開口部を規定する第２規定部（５１）と、前記シャッタ基板（２０）の、前記被写体が対向する側とは反対側に配置され、前記第２開口部を通過する前記被写体からの光（Ａ１）を通過又は遮光せしめるシャッタ要素（８０）とを備え、前記第２規定部（５１）は、前記第１規定部（２１）と前記シャッタ要素（８０）との間に配置され、かつ、該第１開口部の開口端の少なくとも一部から該第１開口部の内側に向けて突出して設けられている。【選択図】図２
2008158304.tif 000002
【特許請求の範囲】
【請求項１】
第１開口部を規定する第１規定部を有するシャッタ基板と、
前記第１開口部よりも開口面積の小さい第２開口部を規定する第２規定部と、
前記シャッタ基板の、前記被写体が対向する側とは反対側に配置され、前記第２開口部を通過する前記被写体からの光を通過又は遮光せしめるシャッタ要素とを備え、
前記第２規定部は、前記第１規定部と前記シャッタ要素との間に配置され、かつ、該第１開口部の開口端の少なくとも一部よりも該第１開口部の内側に向けて突出して設けられていること、
を特徴とするシャッタ装置。
【請求項２】
請求項１に記載のシャッタ装置において、
前記第２規定部は、板状の部材であること、
を特徴とするシャッタ装置。
【請求項３】
請求項１又は請求項２に記載のシャッタ装置において、
前記第２規定部は、合成樹脂材料によって形成されること、
を特徴とするシャッタ装置。
【請求項４】
請求項１から請求項３までのいずれか１項に記載のシャッタ装置において、
前記シャッタ要素は、前記第２開口部を挟んで一方の側から他方の側まで遮蔽可能なシャッタ羽根を複数枚含み、
前記シャッタ基板上の、前記第２開口部を挟んだ前記一方の側に設けられており、前記複数枚のシャッタ羽根を駆動する駆動機構を有し、
前記第２規定部は、前記駆動機構により駆動される前記シャッタ羽根と、前記第２開口部を挟んだ前記他方の側において摺動可能に配置されていること、
を特徴とするシャッタ装置。
【請求項５】
請求項４に記載のシャッタ装置において、
前記シャッタ要素のシャッタ羽根は、前記第２規定部と同じ材質で形成されること、
を特徴とするシャッタ装置。
【請求項６】
請求項１から請求項５までのいずれか１項に記載のシャッタ装置において、
前記第２規定部の、前記被写体が対向する側とは反対側に配置されており、かつ前記第２開口部を介して入射した前記被写体からの光を撮影画枠に制限する撮影開口部を有する第２基板を備え、
前記第２規定部の前記第２開口部を規定する部分と、前記撮影開口部の開口端とが、前記撮影開口部の開口中心に対してほぼ同位置に配置されていること、
を特徴とするシャッタ装置。
【請求項７】
請求項１から請求項６までのいずれか１項に記載のシャッタ装置において、
前記第２規定部は、接着手段を介して前記シャッタ基板上に接着固定される部材であること、
を特徴とするシャッタ装置。
【請求項８】
請求項１から請求項７までのいずれか１項に記載のシャッタ装置を備えること、
を特徴とする撮影装置。
【発明の詳細な説明】
【技術分野】
【０００１】
本発明は、カメラなどに備えられたシャッタ装置及び撮影装置に関するものである。
【背景技術】
【０００２】
被写体を撮影するカメラなどに備えられたシャッタ装置は、被写体光が通過する開口部の縁に、被写体光の一部が反射して撮像素子に入射する反射光を防止するために、さまざまな反射防止手段が提案されている（例えば、特許文献１参照）。
特許文献１の反射防止手段は、アパーチャ（開口部）の端面に微細な凹凸を設け、有害な反射光を散乱させて撮像素子への影響を軽減している。
しかし、このような反射防止手段は、散乱した反射光がカメラの撮像素子に入射することがあり、必ずしも良好に被写体像を撮影することができなかった。
【特許文献１】特開平１−２８９９２８号公報
【発明の開示】
【発明が解決しようとする課題】
【０００３】
本発明の課題は、反射光を低減できるシャッタ装置及び撮影装置を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、第１開口部（Ｏ１）を規定する第１規定部（２１）を有するシャッタ基板（２０）と、前記第１開口部（Ｏ１）よりも開口面積の小さい第２開口部（Ｏ２）を規定する第２規定部（５１）と、前記シャッタ基板（２０）の、前記被写体が対向する側とは反対側に配置され、前記第２開口部（Ｏ２）を通過する前記被写体からの光（Ａ１）を通過又は遮光せしめるシャッタ要素（８０）とを備え、前記第２規定部（５１）は、前記第１規定部（２１）と前記シャッタ要素（８０）との間に配置され、かつ、該第１開口部（Ｏ１）の開口端の少なくとも一部よりも該第１開口部（Ｏ１）の内側に向けて突出して設けられていること、を特徴とするシャッタ装置（１０）である。
【発明の効果】
【０００５】
本発明によれば、反射光を低減できるシャッタ装置及び撮影装置を提供することができる。
【発明を実施するための最良の形態】
【０００６】
以下、図面等を参照して、本発明のシャッタ装置を備えた撮影装置の実施形態としてカメラをあげて、さらに詳しく説明する。
図１は、実施形態のカメラを示す模式図である。なお、説明を明確にするために、図１の左側をカメラの前部、右側を後部、上側を上部、下側を下部、紙面の手前側を左部、紙面の裏側を右部として説明する。また、前後方向をＸ方向、左右方向をＹ方向、上下方向をＺ方向とする。
カメラ（撮影装置）１００は、図１に示すように、シャッタ装置１０、レンズ部１０１、ミラーユニット部１０２、ファインダ部１０３及び撮像ユニット部１１０を有した一眼レフのデジタルカメラである。
レンズ部１０１は、カメラ１００の前部に設けられ、被写体の光Ａ１を入射し、撮影目的に応じて被写体像を拡大又は縮小して、ミラーユニット部１０２へと射出するズーム機能を有したレンズ群である。
【０００７】
ミラーユニット部１０２は、レンズ部１０１の後部から射出される光Ａ１を入射する位置に設けられ、入射した光Ａ１をファインダ部１０３又は撮像ユニット部１１０へ、適宜、反射させるミラー機構である。ミラーユニット部１０２は、上端部に回転機構１０２−１が設けられ、そこを中心として回転することができる。具体的には、撮影前のミラーユニット部１０２は、光Ａ１に対して４５度傾斜した状態で、光Ａ１をファインダ部１０３へと反射している。撮影時に不図示のレリーズスイッチが操作されると、ミラーユニット部１０２は、回転機構１０２−１によってファインダ部１０３側へ跳ね上げられて退避し（矢印Ｂ）、被写体の光Ａ１をシャッタ装置１０及び撮像ユニット部１１０の方向へと入射させる。
【０００８】
ファインダ部１０３は、ファインダスクリーン１０３−１、ペンタダハプリズム１０３−２及び接眼部１０３−３を有している。
ファインダスクリーン１０３−１は、ミラーユニット部１０２で反射された光Ａ１を入射する位置に配置され、光Ａ１を結像するためのスクリーンである。
ペンタダハプリズム１０３−２は、ファインダスクリーン１０３−１の上方に配置され、ファインダスクリーン１０３−１によって結像された被写体の光Ａ１を接眼部１０３−３へと射出する多角形のプリズムである。
接眼部１０３−３は、ペンタダハプリズム１０３−２から射出された被写体の光Ａ１を入射する位置に配置され、入射した光Ａ１を拡大して写し出すレンズを内蔵した光学系である。
【０００９】
撮像ユニット部１１０は、フィルタ部１１１、接続部材１１２及び撮像素子１１３を有している。
フィルタ部１１１は、被写体からの光Ａ１の高周波成分を取り除くための水晶複屈折板であるローパスフィルタであり、被写体像の干渉縞（モアレ）の発生を防止する。
接続部材１１２は、接続されたフィルタ部１１１と撮像素子１１３との間を密閉するゴム製のパッキンであり、密閉することで撮像素子１１３の撮像面を保護している。
撮像素子１１３は、ＣＣＤ（Ｃｈａｒｇｅ−Ｃｏｕｐｌｅｄ  Ｄｅｖｉｃｅ）であり、フィルタ部１１１を介して入射した光Ａ１を露光し、電気的な画像信号に変換する素子である。
【００１０】
図２は、シャッタ装置１０の構成を説明する分解斜視図であり、図３は、図２に示すシャッタ装置１０のＣ−Ｃ断面の模式図である。
シャッタ装置１０は、図２及び図３に示すように、シャッタ基板２０、仕切板３０、第２基板４０、反射防止部材５０、第１のワッシャ６０、第２のワッシャ７０、第１の羽根群８０及び第２の羽根群８１を有している。シャッタ装置１０は、ミラーユニット部１０２の後方に配置され、ミラーユニット部１０２がファインダ部１０３側へ回転（図１、矢印Ｂ）したときに入射する光Ａ１の撮像ユニット部１１０への入射を規制する。具体的には、不図示のレリーズスイッチの操作により、シャッタ装置１０の第１の羽根群８０及び第２の羽根群８１が開閉動作を行い、撮像ユニット部１１０へ光Ａ１を入射又は遮断させる。
【００１１】
シャッタ基板２０は、シャッタ装置１０の被写体に最も近い位置に配置され、合成樹脂材料で形成された矩形状の板部材である。また、シャッタ基板２０は、その中央部に、被写体からの光Ａ１を通過させる第１開口部Ｏ１が、その中心とシャッタ基板２０の中心とが略一致するようにして設けられ、第１開口部Ｏ１及びその周縁を第１規定部２１としている。第１開口部Ｏ１は、図３に示すように、被写体側の開口端の周縁に斜面２２が設けられている。この斜面２２により、光Ａ１の一部がシャッタ基板２０に反射しても、その反射光が撮像ユニット部１１０へ入射するのを防止している。
さらに、シャッタ基板２０は、その四隅に、後述の第２基板４０の結合孔４０−１と結合される結合部２０−１が設けられ、また、第１開口部Ｏ１の周囲の＋Ｙ側に、後述の第２基板４０に設けられた軸孔４０−２（４０−２ａ及び４０−２ｂ）にそれぞれ結合される回転軸２０−２（２０−２ａ及び２０−２ｂ）が設けられている。この回転軸２０−２は、後述の第１の羽根群８０及び第２の羽根群８１を回転自在に支持するものである。
【００１２】
仕切板３０は、シャッタ基板２０及び第２基板４０との間に設けられた空間を二分する合成樹脂材料で形成された板部材であり、二分された空間のうちの被写体側の空間に第１の羽根群８０を配置し、他方に第２の羽根群８１を配置する。この仕切板３０により、第１の羽根群８０及び第２の羽根群８１は、互いに接触することなく開閉することができる。また、仕切板３０は、その中央部に開口部３１が設けられ、また、四隅に前述のシャッタ基板２０の結合部２０−１に結合される結合孔３０−１が設けられ、さらに、開口部３１の周囲の＋Ｙ側に前述のシャッタ基板２０に設けられた回転軸２０−２に結合される軸孔３０−２が設けられている。なお、仕切板３０の縦横寸法は、シャッタ基板２０の外形寸法と同様であり、また、仕切板３０の開口部３１の開口寸法は、後述の第２基板４０の撮影開口部４１の開口寸法と同様である。
【００１３】
第２基板４０は、シャッタ装置１０の撮像ユニット部１１０に最も近い位置に配置され、合成樹脂材料で矩形状に形成された板部材である。また、第２基板４０は、その中央部に、被写体からの光Ａ１を撮影画枠に制限する撮影開口部４１が、撮影開口部４１の中心と第２基板４０の中心とが一致するようにして設けられている。さらに、第２基板４０は、その四隅に結合孔４０−１を有し、また、撮影開口部４１の周囲の＋Ｙ側に前述の回転軸２０−２と結合する軸孔４０−２を有している。
ここで、第２基板４０の外形寸法は、シャッタ基板２０と同一の寸法であり、撮影開口部４１は、その開口寸法がシャッタ基板２０の第１開口部Ｏ１よりも縦横ともに小さい寸法になるように形成されている。また、撮影開口部４１は、図３に示すように、被写体側の開口端の周縁に斜面４２が設けられており、光Ａ１の一部が第２基板４０に反射し、その反射光が撮像ユニット部１１０に入射するのを防止している。
【００１４】
上述したシャッタ基板２０の結合部２０−１は、先端にネジ穴が設けられ、図２に示すように、シャッタ基板２０上に、反射防止部材５０、第１のワッシャ６０、仕切板３０、第２のワッシャ７０及び第２基板４０を順に積層して各部材の結合孔に挿入され、不図示のボルトにより結合される。なお、第１のワッシャ６０及び第２のワッシャ７０は、その配置される場所において、スペーサとしての機能を果たすものである。
回転軸２０−２は、シャッタ基板２０の＋Ｙ側に設けられた回転軸２０−２ａと同じく＋Ｙ側に設けられた回転軸２０−２ｂとを有し、回転軸２０−２ａにより第１の羽根群８０を、回転軸２０−２ｂにより第２の羽根群８１をそれぞれ第１の駆動アーム８０−２及び第２の駆動アーム８１−２により回転自在にする。回転軸２０−２ａは、シャッタ基板２０上に、第１の駆動アーム８０−２、仕切板３０及び第２基板４０が順に積層され、各部材の軸孔に挿入される。また、回転軸２０−２ｂは、シャッタ基板２０上に、仕切板３０、第２の駆動アーム８１−２及び第２基板４０が順に積層され、各部材の軸孔に挿入される。
【００１５】
反射防止部材５０は、シャッタ基板２０の被写体側とは反対の面に設けられ、黒色で、例えば、厚さ０．１ｍｍの合成樹脂材料で形成された矩形状の薄板部材であり、その長辺が、シャッタ基板２０の短辺と同寸法になるように形成されている。また、反射防止部材５０は、その長辺の一方の端部を反射防止部（第２規定部）５１とし、さらに、長辺に対する両端部に結合孔５０−１が設けられ、シャッタ基板２０の結合部２０−１にシャッタ装置１０を構成する他部材とともに結合される。なお、反射防止部材５０及びシャッタ基板２０が結合されることで形成される開口部を第２開口部Ｏ２とする。
【００１６】
反射防止部材５０は、シャッタ基板２０の第１開口部Ｏ１の開口端に反射した被写体からの光（Ａ３、図４参照）が撮像ユニット部１１０へ入射するのを防止するのとともに、黒色で形成されていることによって、反射する光の量を低減させている。また、反射防止部材５０は、被写体の反対側に配置される第１の羽根群８０の先端部を、摺動可能に保持しており、第１の羽根群８０が開閉動作する際に、摺動することによって第１の羽根群８０の先端の振れを防止している。
ここで、反射防止部材５０の反射防止部５１は、それによって規定される第２開口部Ｏ２が、図３に示すように、仕切板３０の開口部３１と第２基板４０の撮影開口部４１とに対し、撮影開口部４１の開口中心に対して等距離（Ｗ）を保つようにして配置されている。また、これにより、撮影開口部４１を開閉する第１の羽根群８０のＹ方向の長さを最小限にすることができる。
第１のワッシャ６０は、シャッタ基板２０及び仕切板３０の間に第１の羽根群８０の先端部分を収納するスペースを設ける部材である。
第２のワッシャ７０は、仕切板３０及び第２基板４０の間に第２の羽根群８１の先端部分を収納するスペースを設ける部材である。
【００１７】
第１の羽根群８０は、反射防止部材５０と同様の合成樹脂材料で形成された複数（本実施形態では４枚）のシャッタ羽根で構成され、シャッタ基板２０の回転軸２０−２ａにより回転自在に、シャッタ基板２０及び仕切板３０の間に配置され、被写体からの光Ａ１を撮像ユニット部１１０に通過又は遮断させる。具体的には、第１の羽根群８０を第１の駆動アーム８０−２で回転させることにより、複数のシャッタ羽根が開いたり、閉じたりし、開いたときに被写体からの光Ａ１を撮像ユニット部１１０へと通過させる。
第２の羽根群８１は、第１の羽根群８０と同様の材料で形成された複数（本実施形態では４枚）のシャッタ羽根で構成され、シャッタ基板２０の回転軸２０−２ｂにより回転自在に、仕切板３０及び第２基板４０の間に配置され、被写体からの光Ａ１を撮像ユニット部１１０に通過又は遮断させる。第２の羽根群８１は、第２の駆動アーム８１−２により第１の羽根群８０と交互に開閉動作を行う。
ここで、第１の羽根群８０及び第２の羽根群８１は、反射防止部材５０と同様の合成樹脂材料を使用することで、羽根の先端と反射防止部材５０との摺動部の発塵を減少させることができる。
【００１８】
次に、シャッタ装置１０の動作について説明する。図４は、シャッタ基板２０及び反射防止部材５０に反射する被写体からの光Ａ１の光路を説明する図である。
カメラ１００による撮影が実行される前において、シャッタ装置１０の第１の羽根群８０は、撮像ユニット部１１０への光Ａ１を遮断するようにシャッタ装置１０の撮影開口部４１を閉じており、第２の羽根群８１は開いている。また、ミラーユニット部１０２は、図１に示すように、光Ａ１に対し４５度傾斜した状態である。
撮影者により、不図示のレリーズスイッチの操作によって撮影が指示されたら、カメラ１００は、ミラーユニット部１０２を回転機構１０２−１によりファインダ部１０３側へ跳ね上げて退避させ（矢印Ｂ）、第１の羽根群８０を、第１の駆動アーム８０−２により開いて、シャッタ装置１０の開口部を開く。ミラーユニット部１０２が退避し、撮影開口部４１が開かれることによって、被写体からの光Ａ１が、シャッタ装置１０を通過し、シャッタ装置１０の後方に位置する撮像ユニット部１１０へ入射する。被写体からの光を入射した撮像ユニット部１１０は、撮像素子１１３によって、被写体像を露光して撮影する。特定の時間（シャッタタイム）、被写体像を露光したら、第２の羽根群８１が、第２の駆動アーム８１−２により閉じられて撮影終了となる。
【００１９】
以上より、本実施形態のカメラには以下のような効果がある。
（１）シャッタ装置１０は、第１開口部Ｏ１の中心に向けて突き出して設けられた反射防止部材５０の反射防止部５１を備えているので、シャッタ基板２０の開口端で反射する被写体からの光Ａ３が、反射防止部材５０の反射防止部５１により撮像ユニット部１１０に入射するのを低減することができ、良好に被写体を撮影することができる。
（２）シャッタ装置１０は、シャッタ基板２０の第１開口部Ｏ１が第２基板４０の撮影開口部４１よりも縦横ともに小さい寸法であり、かつ、第１規定部２１に斜面２２を有しているので、図４に示すように、シャッタ基板２０の開口部周辺に被写体からの光（Ａ２）が反射（乱反射）しても、その反射光が撮像ユニット部１１０に入射するのを防止することができる。
【００２０】
（３）反射防止部材５０は、シャッタ基板２０とは別体の板部材であるので、シャッタ基板２０の開口部の形状を複雑にすることなく、設計の自由度を向上させることができる。また、シャッタ基板２０に凹凸部を設けて反射を低減させるよりも、安価に、効果的に反射防止を行うことができる。
（４）反射防止部材５０は、合成樹脂材料によって形成されているので、シャッタ基板２０を形成するガラス繊維を含んだ合成樹脂よりも光の反射率を低くすることができ、反射防止部材５０に対する反射光の量を低減することができる。
【００２１】
（５）反射防止部材５０は、第１の羽根群８０の先端部に対して摺動可能に配置されているので、第１の羽根群８０の開閉動作時における、羽根の先端部の振れを防止することができ、安定してシャッタ装置１０を作動させることができる。
（６）第１の羽根群８０及び第２の羽根群８１は、反射防止部材５０と同様の合成樹脂材料を使用しているので、羽根の先端と反射防止部材５０との摺動部の発塵を減少させることができる。
（７）反射防止部材５０の反射防止部５１と、第２基板４０の撮影開口部４１とが、撮影開口部４１の開口中心に対してほぼ同位置に配置されているので、第１の羽根群８０の各羽根の長さを最小限にすることができ、羽根の先端部の振れを低減させるのとともに、羽根の重量の軽量化及び慣性モーメントの低減化により第１の羽根群８０の動特性を向上させることができる。
【００２２】
（変形形態）
以上説明した実施形態に限定されることなく、種々の変形や変更が可能であって、それらも本発明の均等の範囲内である。
（１）本実施形態では、反射防止部材５０は、シャッタ基板２０の結合部２０−１を介して軸支されることにより固定されたが、シャッタ基板２０に接着手段（接着剤や両面テープなど）を介して接着して固定してもよい。接着することにより、シャッタ基板２０に対する反射防止部材５０のズレを防止し、また、シャッタ装置１０の分解、組み立て作業においても、シャッタ基板２０及び反射防止部材５０の位置関係を保つことができる。
（２）本実施形態では、反射防止部材５０は、シャッタ基板２０と別体で形成されたが、両者を一体で形成してもよい。
（３）本実施形態では、反射防止部材５０は、第２開口部Ｏ２を規定する辺のうち、第１の羽根群８０の先端部に対向する部位（辺）にのみ設けたが、これに加えて第２開口部Ｏ２を規定する他の部位（辺）に設けてもよい。例えば、シャッタ駆動機構（第１の駆動アーム８０−２）が配置される辺（図２中の反射防止部材５０が配置される側と対向する側の辺）側に設けてもよいし、第２開口部Ｏ２を規定する４つの辺全てに設けてもよい。
【図面の簡単な説明】
【００２３】
【図１】実施形態のカメラを示す模式図である。
【図２】実施形態のカメラに設けられたシャッタ装置の構成を説明する図である。
【図３】図２に示すシャッタ装置のＣ−Ｃ断面の模式図である。
【図４】実施形態のシャッタ装置のシャッタ基板及び反射防止部材に反射する被写体からの光Ａ１の光路を説明する図である。
【符号の説明】
【００２４】
１０：シャッタ装置、２０：シャッタ基板、２１：第１規定部、３０：仕切板、４０：第２基板、５０：反射防止部材、５１：反射防止部、６０：第１のワッシャ、７０：第２のワッシャ、８０：第１の羽根群、８１：第２の羽根群、１００：カメラ、１１０、撮像ユニット部、Ｏ１：第１開口部、Ｏ２：第２開口部
【図１】
2008158304.tif 000003
【図２】
2008158304.tif 000004
【図３】
2008158304.tif 000005
【図４】
2008158304.tif 000006